(57)【要約】【課題】ゲル状で変形容易な熱伝導性部材に関して電池積層方向における位置ずれを抑制可能とする。【解決手段】電池装置１は、積層設置された複数の電池セル２と、電池セル２の熱を吸収して放熱する放熱用部材１０と、電池セル２の熱が放熱用部材１０に移動可能なように電池セル２と放熱用部材１０との間に介在する熱伝導性部材９と、を備える。熱伝導性部材９は熱伝導性を有するゲル状材を包含し変形容易な構成である。電池装置１はさらに、電池セル２の積層方向の両側において電池セル２の側面２２に対向している第１対向部と保持部とを有する第１規制部材３を備える。保持部は、第１対向部の一端側において熱伝導性部材９を保持して電池積層方向について熱伝導性部材９の移動を規制する。【選択図】図１
2019160496.tif 000002
【特許請求の範囲】
【請求項１】
積層設置されている複数の電池セル（２）と、
前記電池セルの熱を吸収して放熱する放熱用部材（１０；１１０）と、
前記電池セルの熱が前記放熱用部材に移動可能なように前記電池セルと前記放熱用部材との間に介在して、熱伝導性を有するゲル状材を包含して変形容易な熱伝導性部材（９）と、
前記電池セルの積層方向の両側において前記電池セルの側面（２２）に対向している対向部（３０，４０）と、前記対向部の一端側において前記熱伝導性部材を保持して前記積層方向について前記熱伝導性部材の移動を規制する保持部（３１，４１）とを有する規制部材（３，４；１０４）と、
を備える電池装置。
【請求項２】
前記保持部（３１）は、前記熱伝導性部材に対して少なくとも前記積層方向の両側から接触する部分であり、前記保持部の幅方向に間隔をあけて並ぶ複数の細隙（３２）または開孔を有している請求項１に記載の電池装置。
【請求項３】
前記積層方向に並ぶ複数の前記規制部材を有し、
前記積層方向に隣接する前記保持部が有する前記細隙または前記開孔は、前記積層方向に隣り合う前記細隙または前記開孔に対して前記幅方向に位置をずらして設けられている請求項２に記載の電池装置。
【請求項４】
前記保持部は前記放熱用部材に近づくほど前記熱伝導性部材側に位置するような湾曲状に形成されている請求項１から請求項３のいずれか一項に記載の電池装置。
【請求項５】
前記保持部は前記放熱用部材に接触している請求項２から請求項４のいずれか一項に記載の電池装置。
【請求項６】
前記保持部（４１）は、前記熱伝導性部材に対して前記積層方向の両側から前記電池セルの下面（２１）を覆うように延びる部分であり、前記保持部の幅方向および前記積層方向の少なくとも一方について間隔をあけて並ぶ複数の細孔（４２）または開孔を有している請求項１に記載の電池装置。
【請求項７】
前記保持部は前記積層方向を波長方向とする波形状を有している請求項６に記載の電池装置。
【請求項８】
前記保持部は、前記波形状を形成するすべての板状部について前記細孔または前記開孔を有している請求項７に記載の電池装置。
【請求項９】
前記細孔は、前記波形状の波長方向に細長くなるように形成されている請求項８に記載の電池装置。
【請求項１０】
前記保持部は、前記熱伝導性部材を下方から支えるように設けられている請求項６から請求項９のいずれか一項に記載の電池装置。
【請求項１１】
前記保持部は前記放熱用部材に接触している請求項１０に記載の電池装置。請求項  に記載の電池装置。
【請求項１２】
前記保持部は、さらに前記電池セルの下面（２１）に接触している請求項１１に記載の電池装置。
【請求項１３】
前記規制部材は、前記積層方向の両側において前記電池セルの前記側面に対向している第２対向部（４０）を有する第２規制部材（４；１０４）と、前記積層方向の両側において前記第２対向部を間において前記電池セルの前記側面に対向している第１対向部（３０）を有する第１規制部材（３）と、を備え、
前記第２規制部材は、前記熱伝導性部材に対して前記積層方向の両側から前記電池セルの下面（２１）を覆うように延びる部分であり、かつ前記第２規制部材の幅方向および前記積層方向の少なくとも一方について間隔をあけて並ぶ複数の細孔または開孔を有する第２保持部（４１）を有し、
前記第１規制部材は、前記第２保持部に対して前記積層方向の両側から前記熱伝導性部材に接触する部分であり、かつ前記第１規制部材の幅方向に間隔をあけて並ぶ複数の細隙または開孔を有する第１保持部（３１）を有する請求項１に記載の電池装置。
【請求項１４】
前記規制部材は、金属で形成された板状部材である請求項１から請求項１３のいずれか一項に記載の電池装置。
【請求項１５】
前記放熱用部材は、流体と熱交換する熱交換器であり、
複数の前記電池セルおよび前記規制部材に対して前記積層方向に圧縮力を与えて拘束する拘束部材（７；１０７）を備える請求項１から請求項１４のいずれか一項に記載の電池装置。
【発明の詳細な説明】
【技術分野】
【０００１】
この明細書における開示は、電池装置に関する。
【背景技術】
【０００２】
特許文献１に記載の電源装置は、角形電池と冷却プレートの間で圧縮されて変形して、角形電池の底面と冷却プレートの表面に面接触状態で密着する熱伝導シートを有している。積層設置された複数の角形電池は、ポッティングケースの内側に収容されてポッティングケースによって側面を支持されて一体になっている。ポッティングケースの底部には、複数の角形電池の積層方向全体にわたって延びる開口部が形成されている。熱伝導シートは、この開口部に嵌めこまれた状態で角形電池と冷却プレートとに挟まれて固定されている。
【先行技術文献】
【特許文献】
【０００３】
【特許文献１】国際公開第２０１２／１６５４９３号公報
【発明の概要】
【発明が解決しようとする課題】
【０００４】
しかしながら、特許文献１の熱伝導シートは、複数の角形電池の積層方向に関して、角形電池と冷却プレートとで挟まれたことによる密着力によって固定されているだけである。このため、熱伝導シートは、複数の角形電池の積層方向に関して移動しないように十分に支持されていない。特に、積層方向に複数個の熱伝導シートが並んで設置されている場合には、それぞれが積層方向に短いため、容易に移動しやすいことになる。
【０００５】
この明細書における開示の目的は、ゲル状で変形容易な熱伝導性部材に関して電池積層方向における位置ずれを抑制可能とする電池装置を提供することである。
【課題を解決するための手段】
【０００６】
この明細書に開示された複数の態様は、それぞれの目的を達成するために、互いに異なる技術的手段を採用する。また、特許請求の範囲およびこの項に記載した括弧内の符号は、一つの態様として後述する実施形態に記載の具体的手段との対応関係を示す一例であって、技術的範囲を限定するものではない。
【０００７】
開示された電池装置の一つは、積層設置されている複数の電池セル（２）と、電池セルの熱を吸収して放熱する放熱用部材（１０；１１０）と、電池セルの熱が放熱用部材に移動可能なように電池セルと放熱用部材との間に介在して、熱伝導性を有するゲル状材を包含して変形容易な熱伝導性部材（９）と、電池セルの積層方向の両側において電池セルの側面（２２）に対向している対向部（３０，４０）と、対向部の一端側において熱伝導性部材を保持して電池セルの積層方向について熱伝導性部材の移動を規制する保持部（３１，４１）とを有する規制部材（３，４；１０４）と、を備える。
【０００８】
この電池装置によれば、ゲル状材を包含する変形容易な熱伝導性部材を電池積層方向の両側で保持する保持部を備える。この保持部を有した規制部材によれば、電池セルと放熱用部材との間で変形して動きやすい熱伝導性部材について電池積層方向の移動を規制できるとともに、熱伝導性部材による電池セルから放熱用部材への適切な熱移動に寄与する。この電池装置は、ゲル状で変形容易な熱伝導性部材に関して電池積層方向における位置ずれを抑制可能とする。
【図面の簡単な説明】
【０００９】
【図１】第１実施形態の電池装置の構成を示した図である。
【図２】第１規制部材を示した斜視図である。
【図３】第１規制部材の第１保持部および細隙を拡大して示した斜視図である。
【図４】複数の第１保持部によって熱伝導性部材を保持する状態を示した断面図である。
【図５】第２規制部材を示した斜視図である。
【図６】第２規制部材の第２保持部および細隙を拡大して示した斜視図である。
【図７】第２保持部によって熱伝導性部材を保持する状態を示した断面図である。
【図８】第２実施形態の第２保持部によって熱伝導性部材を保持する状態を示した断面図である。
【図９】第３実施形態の電池装置の構成を示した横断面図である。
【発明を実施するための形態】
【００１０】
以下に、図面を参照しながら本開示を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。各実施形態で具体的に組み合わせが可能であることを明示している部分同士の組み合わせばかりではなく、特に組み合わせに支障が生じなければ、明示していなくても実施形態同士を部分的に組み合せることも可能である。
【００１１】
（第１実施形態）
第１実施形態の電池装置１は、積層設置された複数の二次電池の熱を熱伝導性部材を介して放熱用部材に放熱可能な構成を有する装置である。電池装置１は、例えば内燃機関と電池に充電された電力によって駆動されるモータとを組み合わせて走行駆動源とするハイブリッド自動車、モータを走行駆動源とする電気自動車等に用いられる。電池装置１に含まれる複数の電池セル２は、例えばニッケル水素二次電池、リチウムイオン二次電池、有機ラジカル電池である。
【００１２】
第１実施形態について図１〜図４を用いて説明する。各図において、電池セル２の厚み方向は電池積層体における電池セル２の積層方向であり、電池積層方向ともいう。この電池積層方向と上下方向との両方に直交する方向は、電池セル２の幅方向である。
【００１３】
電池装置１は、複数個の電池セル２の充電及び放電または温度調節に用いられる電子部品によって制御される。電池装置１は、電気的に接続し、かつ積層設置された複数の電池セル２を電池積層方向に拘束して一体にして形成されている。また、電池装置１は、筐体内に収納するようにしてもよい。前述の電子部品は、例えば、ＤＣ／ＤＣコンバータ、送風部材を駆動するモータ、インバータによって制御される電子部品、各種の電子式制御装置等であり、例えばスイッチング電源装置であるパワー素子によって調整される電力で作動される部品である。電池装置１は、このような電子部品を含む装置であってもよい。
【００１４】
電池積層体を構成する電池セル２は、金属からなる角形の外装ケースを有する単電池である。この角形の単電池は、例えばアルミニウム、アルミニウム合金等からなる外装ケースによってその外周面を被覆された直方体である。各電池セル２には、正極端子及び負極端子からなる二つの電極端子２０のそれぞれが外装ケースの上面からそれぞれ突出しており、この突出方向は、電池積層方向に対して垂直な上方向である。電池セル２の外装ケースは、例えば、金属の他に、樹脂で形成されてもよい。また電池セル２は、樹脂とアルミ箔をラミネートしたフィルムを外装ケースとして使用してもよい。
【００１５】
電池積層体は、電池セル２と絶縁性を有するスペーサ部材５とを交互に所定個数積層した集合体を、積層方向の両端部から拘束バンド７で挟み内側に向かう拘束力を作用させて一体にして構成されている。電池積層体はさらに、電池積層方向に隣り合う電池セル２と電池セル２との間に規制部材を有している。規制部材は、電池セル２に対して電池積層方向の両側において電池セル２の側面２２に対向して設けられた対向部を有している。規制部材の対向部は電池セル２とスペーサ部材５との間に設けられている。したがって、電池積層方向に隣り合うスペーサ部材５とスペーサ部材５との間には、電池セル２と電池セル２の両側に配された規制部材の対向部とが存在している。規制部材はさらに、対向部の一端側である下部において熱伝導性部材９を少なくとも電池積層方向に保持する保持部を有している。
【００１６】
熱伝導性部材９は、電池セル２の熱が放熱用部材１０に移動可能なように電池セル２と放熱用部材１０との間に介在し、電池セル２から放熱用部材１０へと至る熱移動経路に設けられた変形容易な部材である。熱伝導性部材９は、熱伝導性を有するゲル状材を包含する変形容易な容器を有し、または熱伝導性を有するゲル状材そのもので形成されている構成を有している。放熱用部材１０は、電池セル２の熱を吸収して放熱することが可能な放熱器である。放熱用部材１０は、大きな表面積や熱容量を有する、ヒートシンク、フィン等であり、高い熱伝導性を有する材料で形成されている。放熱用部材１０は、熱伝導性部材９と接触している側の部分とは反対側部が他の部材に接触しており、この他の部材に対して放熱可能に構成されている。また放熱用部材１０は、熱伝導性部材９と接触している側の部分を除く他の部分から外部の雰囲気に放熱するように構成されている。電池装置１においては、放熱用部材１０から外部に放熱されることにより、規制部材や熱伝導性部材９を介して電池セル２の熱が吸熱されて各電池セル２を効果的に冷却することができる。
【００１７】
電池装置１の拘束構造について説明する。図１に示すように、電池装置１は、複数の電池セル２、隣接する電池セル２間に介在するスペーサ部材５および規制部材、熱伝導性部材９、放熱用部材、一組のエンドプレート６、一組のエンドプレート６に対して両側から圧縮力を提供する拘束バンド７等を備える。
【００１８】
一組のエンドプレート６は、電池セル２、スペーサ部材５および規制部材を含んで構成される電池積層体における電池積層方向の両端に設けられる板状の部材である。拘束バンド７は、電池積層体と一組のエンドプレート６とを合わせた積層構造体に対して外周を取り囲む帯状部材である。電池装置１は、上下方向に間隔をあけて設けられた２個の拘束バンド７によって拘束されている。拘束バンド７は、電池積層体に対して圧縮力を提供している状態を維持できるようにリベット８によって固定されている拘束部材である。また、リベット８は、ボルトナット等の締結固定手段、溶接等の固定手段に置き換えてもよい。拘束バンド７は、複数の電池セル２等を安定した力で押圧して一体化できるように、金属、硬質の樹脂等の強度に優れた材料で形成されている。
【００１９】
次に規制部材に関して図２〜図７を参照して説明する。電池装置１は、隣り合うスペーサ部材５とスペーサ部材５との間に設けられた第１規制部材３と第２規制部材４とを備えている。第１規制部材３と第２規制部材４は、それぞれ明細書に開示の目的を達成可能な規制部材であり、熱伝導性部材９が電池セル２との熱移動経路を実現する所定の範囲を超えて電池積層方向に変位しないように、その移動を規制する機能を果たしている。第１規制部材３はスペーサ部材５に隣接する部材である。スペーサ部材５と電池セル２との間には、電池積層方向に複数の第１規制部材３が並んで設置されている。第２規制部材４は第１規制部材３よりも電池セル２側に設けられた部材であり、電池セル２に隣接している。複数の第１規制部材３、１個の第１規制部材３および第２規制部材４、複数の第１規制部材３および第２規制部材４はそれぞれ、電池積層方向に並ぶ複数の規制部材を構成している。
【００２０】
図２および図３に示すように、第１規制部材３は、電池積層方向の両側において電池セル２の側面２２に対向している第１対向部３０と、第１対向部３０の下端部から下方および電池セル２側に延びる形状の第１保持部３１とを有している。第１対向部３０は、上下方向および電池セル２の幅方向に沿う平板状部であり、電池セル２の主面である側面２２のほぼ全体に対して対面する形状である。第１保持部３１は、熱伝導性部材９に対して少なくとも電池積層方向の両側から接触して、熱伝導性部材９が電池積層方向にスライドして電池セル２からの熱移動が著しく低下することを規制する。
【００２１】
第１保持部３１は、第１対向部３０の下端部から下方の放熱用部材に近づくほど、徐々に電池セル２側または熱伝導性部材９側に位置するような湾曲状に形成されている。この構成により、第１保持部３１は、電池積層方向の両側のそれぞれにおいて、熱伝導性部材９を下から抱えるようにして保持する保持壁として機能する。この構成により、さらに第１保持部３１は、熱伝導性部材９における電池積層方向の両側部のそれぞれを、上下方向の広範囲にわたって保持する保持壁として機能する。
【００２２】
第１保持部３１は、放熱用部材１０に接触するように設けられている。電池セル２の側面２２と第１対向部３０とが熱移動可能に設けられている場合には、電池セル２の熱が第１対向部３０を経由して第１保持部３１から放熱用部材１０に移動する熱移動経路を構築できる。また、電池セル２の熱が熱伝導性部材９を経由して第１保持部３１から放熱用部材１０に移動する熱移動経路を構築できる。
【００２３】
第１保持部３１は、その幅方向または電池セル２の幅方向に間隔をあけて並ぶ複数の細隙３２を有している。細隙３２は、前述の幅方向に交差する方向または直交する方向に細長い形状である。細隙３２は、第１保持部３１を貫通する開孔であってもよい。細隙３２は、その長手方向端部が第１保持部３１の先端にまで達している切れ込みまたはスリットによって形成される構成でもよい。この構成により、細隙３２には、第１保持部３１に密着した熱伝導性部材９の一部が嵌りこみ、この部分が細隙３２から下方に飛び出すようになって保持される。
【００２４】
図４に示すように、電池装置１は、熱伝導性部材９の両側のそれぞれにおいて、電池積層方向に並ぶ複数の第１規制部材３を有する。この複数の第１規制部材３において、電池積層方向に隣接する、一方側の第１保持部３１に設けられた細隙３２と他方側の第１保持部３１に設けられた細隙３２とは、第１保持部３１の幅方向について位置をずらして設けられている。換言すれば、複数の第１規制部材３が有する複数の細隙３２は、電池積層方向にラビリンス状に並んでいる。この構成により、細隙３２に嵌りこんで飛び出すように保持される熱伝導性部材９の部分は、第１保持部３１の幅方向について位置ずれしながら電池積層方向に並ぶようになる。換言すれば、細隙３２に嵌りこむ熱伝導性部材９の部分は、電池積層方向に対してジグザグ状に並ぶようになる。このように、複数の第１保持部３１によって保持されている熱伝導性部材９を電池積層方向に移動させようとする外力が作用した場合に、電池積層方向に対してジグザグ状に並ぶ複数の細隙３２によって、熱伝導性部材９の流動を阻害することができる。このように複数の細隙３２が電池積層方向に並ぶ構成により、複数の細隙３２によって熱伝導性部材９を保持する機能を強化できるので、複数の第１規制部材３による保持機能を高めることができる。
【００２５】
図５および図６に示すように、第２規制部材４は、電池積層方向の両側において電池セル２の側面２２に対向する第２対向部４０と、熱伝導性部材９に対して電池積層方向の両側から電池セル２の下面２１を覆うように延びる第２保持部４１を有する。第２対向部４０は、上下方向および電池セル２の幅方向に沿う平板状部であり、電池セル２の主面である側面２２のほぼ全体に対して対面する形状である。第２保持部４１は、熱伝導性部材９に対して少なくとも電池積層方向の両側から内部に向けう位置で接触することで、熱伝導性部材９が電池積層方向にスライドして電池セル２からの熱移動が著しく低下することを規制する。
【００２６】
第２保持部４１は、熱伝導性部材９に対して電池積層方向の両側から電池セル２の下面２１を覆うように延びる部分である。第２保持部４１は、熱伝導性部材９を下方から支えるように電池積層方向に延びる部分である。このような構成により、第２保持部４１は、電池積層方向および幅方向について熱伝導性部材９の内部を貫通したり熱伝導性部材９を下から支えたりするようにして保持する保持壁として機能する。
【００２７】
第２保持部４１は、電池積層方向に進行する波形状に形成されている。つまり、第２保持部４１は、電池セル２側に凸状となる山状部と放熱用部材１０側に凸状となる谷状部とが電池積層方向に交互に並ぶように形成されている。この構成により、第２保持部４１によって保持されている熱伝導性部材９を電池積層方向に移動させようとする外力が作用した場合に、上下に蛇行する形状をなす第２保持部４１によって、熱伝導性部材９の流動を阻害することができる。第２保持部４１は、熱伝導性部材９を保持するアンカーとしても機能するともいえる。
【００２８】
第２保持部４１は、放熱用部材１０に接触するように設けられている。電池セル２の側面２２と第２対向部４０とが熱移動可能に設けられている場合には、電池セル２の熱が第２対向部４０を経由して第２保持部４１から放熱用部材１０に移動する熱移動経路を構築できる。また、電池セル２の熱が熱伝導性部材９を経由して第２保持部４１から放熱用部材１０に移動する熱移動経路を構築できる。第２保持部４１は、電池セル２の下面２１に接触するように設けられている。この構成により、電池セル２の熱が第２保持部４１を経由して放熱用部材１０に移動する熱移動経路を構築できる。
【００２９】
第２保持部４１は、さらに第２規制部材４の幅方向および電池積層方向の両方について間隔をあけて並ぶ複数の細孔４２を有している。この複数の細孔４２は、第２規制部材４の幅方向または電池積層方向について間隔をあけて並ぶ構成であってもよい。細孔４２は、第２保持部４１の波形状において、山部（頂点）と谷部（頂点）とを除く両者の間に設けられ、一方から他方に向かう方向に細長い形状である。第２保持部４１は、波形状を形成するすべての板状部について細孔４２を有している。細孔４２は、第２保持部４１を貫通する細孔以外の他の形状の開孔であってもよい。この構成により、細孔４２には第２保持部４１によって保持されている熱伝導性部材９の一部が嵌りこむようになり、細孔４２によって熱伝導性部材９をさらに保持する機能が向上する。
【００３０】
図６に示すように、第２規制部材４は、第２保持部４１が電池セル２の下面２１と放熱用部材１０とに接触し細孔４２から飛び出している熱伝導性部材９の部分が電池セル２の下面２１と放熱用部材１０とに接触する状態で、熱伝導性部材９を保持している。この構成により、第２規制部材４は、少なくとも電池積層方向について熱伝導性部材９が流出したり位置ずれしたりすることを抑制し、かつ電池セル２から放熱用部材１０への熱移動を確保することに寄与している。
【００３１】
次に第１実施形態の電池装置１がもたらす効果について説明する。電池装置１は、積層設置されている複数の電池セル２と、電池セル２の熱を吸収して放熱する放熱用部材１０と、電池セル２の熱が放熱用部材１０に移動可能なように電池セル２と放熱用部材１０との間に介在する熱伝導性部材９とを備える。熱伝導性部材９は、熱伝導性を有するゲル状材を包含して変形容易な部材である。電池装置１は、電池積層方向の両側において電池セル２の側面２２に対向している対向部と、対向部の一端側において熱伝導性部材９を保持して電池積層方向について熱伝導性部材９の移動を規制する保持部とを有する規制部材を備える。
【００３２】
この構成によれば、規制部材は、電池セル２と放熱用部材１０との間で変形して動きやすい熱伝導性部材９について電池積層方向の移動を規制できるので、電池セル２から熱伝導性部材９を介した放熱用部材１０への適切な熱移動経路を実施できる。この構成によれば、適切な熱移動経路を実施するために、変形容易な熱伝導性部材９に関して電池積層方向の位置ずれを抑制可能な電池装置１、または外部へのゲル状材の流出を抑制可能な電池装置１を提供できる。
【００３３】
第１規制部材３の第１保持部３１は、熱伝導性部材９に対して少なくとも電池積層方向の両側から接触する部分であり、保持部の幅方向に間隔をあけて並ぶ複数の細隙３２または開孔を有している。この構成によれば、変形容易な熱伝導性部材９は、電池積層方向の両側から保持部に接触して保持された状態で複数の細隙３２または開孔に嵌りこむように変形可能である。これにより、熱伝導性部材９の一部が複数の細隙３２または開孔に嵌りこむことによっても、熱伝導性部材９を保持する保持力を高めることができ、熱伝導性部材９の位置ずれ抑制に寄与する。
【００３４】
電池装置１は電池積層方向に並ぶ複数の第１規制部材３を有する。電池積層方向に隣接する第１保持部３１が有する細隙３２または開孔は、電池積層方向に隣り合う細隙３２または開孔に対して保持部の幅方向に位置をずらして設けられている。この構成によれば、熱伝導性部材９は、電池積層方向の両側から複数の第１保持部３１によって保持されるとともに複数の細隙３２または開孔に嵌りこむように変形可能である。さらに電池積層方向に隣り合う細隙３２または開孔は幅方向に位置をずらして設けられているため、電池積層方向に隣り合う第１保持部３１において幅方向にずれた位置で熱伝導性部材９を部分的に変形させて保持することができる。これにより、電池積層方向に並ぶ複数の第１保持部３１の細隙３２または開孔によって、幅方向の広範囲にわたって熱伝導性部材９を変形させて保持することができ、熱伝導性部材９の位置ずれ抑制に寄与する。
【００３５】
第１規制部材３の第１保持部３１は放熱用部材１０に近づくほど熱伝導性部材９側に位置するような湾曲状に形成されている。この構成によれば、第１保持部３１によって、電池積層方向の両側において熱伝導性部材９を放熱用部材１０側から抱えるようにして保持することができる。これにより、熱伝導性部材９を保持する保持力を高めることができ、熱伝導性部材９の位置ずれ抑制に寄与する。
【００３６】
第１保持部３１は放熱用部材１０に接触している。この構成によれば、第１保持部３１は熱伝導性部材９について電池積層方向の移動を規制できるとともに、第１保持部３１を介して放熱用部材１０への熱移動を高めることができる。
【００３７】
第２規制部材４の第２保持部４１は、熱伝導性部材９に対して電池積層方向の両側から電池セル２の下面２１を覆うように延びる部分である。第２保持部４１は、その幅方向および電池積層方向の少なくとも一方について間隔をあけて並ぶ複数の細孔４２または開孔を有している。この構成によれば、変形容易な熱伝導性部材９を電池積層方向のほぼ全体にわたって第２保持部４１によって保持することができる。さらに複数の細孔４２または開孔が幅方向および電池積層方向の少なくとも一方について並んでいるので、幅方向または電池積層方向について、あるいは幅方向と電池積層方向の両方の方向について、熱伝導性部材９が広範囲にわたって細孔４２等に嵌りこむ。これらの効果により、熱伝導性部材９を広範囲にわたって保持する保持力を高めることができ、熱伝導性部材９の位置ずれ抑制に寄与する。
【００３８】
第２保持部４１は電池積層方向に進行する波形状を有している。この構成によれば、熱伝導性部材９を電池積層方向のほぼ全体にわたって波形状の第２保持部４１に倣って変形した状態で保持できるので、熱伝導性部材９を保持する保持力を高めることができ、熱伝導性部材９の位置ずれ抑制に寄与する。
【００３９】
第２保持部４１は、波形状を形成するすべての板状部について細孔４２または開孔を有している。この構成によれば、熱伝導性部材９の電池積層方向全体にわたって波形状の板状部と細孔４２または開孔とによって熱伝導性部材９を変形させた状態で保持できるので、熱伝導性部材９の移動を抑止する効果をさらに高めることができる。
【００４０】
さらに細孔４２は、第２保持部４１における波形状の波長方向に細長くなるように形成されている。この構成によれば、細孔４２は波形状の波長方向に細長いため、細孔４２に嵌りこむ熱伝導性部材９の部分に邪魔されないように、熱伝導性部材９を電池積層方向の広範囲にわたって第２保持部４１の波形状に倣うように変形させて保持することができる。
【００４１】
第２保持部４１は、熱伝導性部材９を下方から支えるように設けられている。この構成によれば、第２保持部４１の上に熱伝導性部材９が載るような状態で熱伝導性部材９を保持することができる。さらに第２保持部４１の上に載った状態の熱伝導性部材９が部分的に複数の細孔４２または開孔に嵌りこむため、第２保持部４１に対する熱伝導性部材９の移動を抑制する効果を高めることができる。さらに第２保持部４１が放熱用部材１０に接触している構成である場合には、電池セル２の熱を熱伝導性部材９から第２保持部４１を介して放熱用部材１０へ移動させる熱経路の構築によって、放熱用部材１０への放熱効果を高めることができる。
【００４２】
第２保持部４１は、さらに電池セル２の下面２１に接触している。この構成によれば、電池セル２の熱を第２保持部４１を介して放熱用部材１０へ移動させる熱移動経路の構築によって、放熱用部材１０への放熱効果を高めることができる。
【００４３】
電池装置１は、電池積層方向の両側において電池セル２の側面２２に対向する第２対向部４０を有する第２規制部材４と、第２対向部４０を間において電池セル２の側面２２に対向する第１対向部３０を有する第１規制部材３と、を備える。第２規制部材４は、熱伝導性部材９に対して電池積層方向の両側から電池セル２の下面２１を覆うように延びる部分である第２保持部４１を有する。第２保持部４１は、第２規制部材４の幅方向および電池積層方向の少なくとも一方について間隔をあけて並ぶ複数の細孔４２または開孔を有する。第１規制部材３は、第２保持部４１に対して電池積層方向の両側から熱伝導性部材９に接触する部分である第１保持部３１を有する。第１保持部３１は、第１規制部材３の幅方向に間隔をあけて並ぶ複数の細隙３２または開孔を有する。
【００４４】
この構成によれば、熱伝導性部材９を、電池積層方向の両側から第１保持部３１によって保持するとともに、電池積層方向のほぼ全体にわたって第２保持部４１によって保持することができる。さらに第１保持部３１の複数の細隙３２または開孔と、第２保持部４１の複数の細孔４２または開孔とに、熱伝導性部材９の一部が嵌りこむことにより、熱伝導性部材９を保持する保持力を高め、熱伝導性部材９の位置ずれ抑制に寄与する電池装置１を提供できる。
【００４５】
第１規制部材３および第２規制部材４の少なくとも一方は、金属で形成された板状部材である。また第１規制部材３および第２規制部材４の少なくとも一方は、熱伝導性の高い材料、例えば金属を含有した樹脂製品やカーボンで形成された板状部材であってもよい。この構成によれば、熱抵抗が低い第１規制部材３や第２規制部材４によって、電池セル２から放熱用部材１０への熱移動経路における熱抵抗を抑える電池装置１を提供できる。
【００４６】
放熱用部材１０は、流体と熱交換する熱交換器である。電池装置１は、複数の電池セル２および規制部材に対して電池積層方向に圧縮力を与えて拘束する拘束バンド７を備える。この構成によれば、圧縮力によって規制部材の位置を確実に固定できるため、規制部材が熱伝導性部材９を保持する機能を強化でき、熱伝導性部材９の位置ずれ抑制に貢献できる。この構成によれば、電池セル２の熱が側面２２から規制部材の対向部を経由して保持部に移動する熱経路と下面２１から保持部に移動する熱経路とを構築でき、さらに保持部および熱伝導性部材９から放熱用部材１０移動した熱を流体と熱交換することができる。これにより、電池冷却性能を高めた電池装置１を提供できる。
【００４７】
（第２実施形態）
第２実施形態の第２規制部材１０４について図８を参照して説明する。図８において、第１実施形態と同様の構成であるものは同一の符号を付し、同様の作用、効果を奏するものである。第２実施形態で特に説明しない構成、作用、効果については、第１実施形態と同様であり、第１実施形態と異なる点についてのみ説明する。
【００４８】
図８に示すように、第２規制部材１０４は、第２対向部４０の下端に最も近い第２保持部４１の波形状部において細孔４２が形成されていない点が第２規制部材４に対して相違する。第２規制部材１０４は、第１規制部材３の第１保持部３１のように熱伝導性部材９を電池積層方向の両側から包むように保持する機能を有する。換言すれば、第２規制部材１０４は、第１規制部材３と第２規制部材４とを組み合わせた規制部材として機能する。
【００４９】
（第３実施形態）
第３実施形態の電池装置について図９を参照して説明する。図９において、前述の実施形態と同様の構成であるものは同一の符号を付し、同様の作用、効果を奏するものである。第３実施形態で特に説明しない構成、作用、効果については、前述の実施形態と同様であり、前述の実施形態と異なる点についてのみ説明する。
【００５０】
図９に示すように、第３実施形態の電池装置は、熱媒体搬送装置によって供給された熱媒体が内部通路を流通する放熱用部材１１０を備えている。放熱用部材１１０は、内部通路を流通する熱媒体と熱交換器である。熱媒体の供給を受けて放熱用部材１１０が冷却されることにより、保持部や熱伝導性部材９を介して移動した熱が放熱用部材１１０で吸熱されて、各電池セル２を冷却することができる。熱媒体には種々の流体を採用することができ、例えば、空気、水、冷媒を用いることができる。熱媒体が冷媒の場合には、冷凍サイクルを流れる冷媒を流用することもできる。
【００５１】
拘束バンド１０７は、第１規制部材３や第２規制部材４に接触した状態で、電池セル２、第１規制部材３および第２規制部材４に対して電池積層方向に圧縮力を与えて電池モジュール全体を拘束している。拘束バンド１０７の下端部は、放熱用部材１１０に接触している。これらの構成により、電池セル２の熱は、第１規制部材３や第２規制部材４を介して拘束バンド１０７にも移動可能であり、拘束バンド１０７から外部に放出されたり、放熱用部材１１０に移動したりする。
【００５２】
第３実施形態の電池装置は、バスバモジュールと一体に形成された排煙用ダクト１１を備えている。バスバモジュールは、隣り合う電池セル２における電極端子２０と電極端子２０とを電気的に連結するバスバを支持する部材である。排煙用ダクト１１は、電池セル２の上面に接触した状態で設置されている。このような構成により、電池セル２の熱は、排煙用ダクト１１やバスバモジュールにも移動可能であり、排煙用ダクト１１やバスバモジュールから外部に放出され得る。
【００５３】
以上の構成によれば、第３実施形態の電池装置は、電池セル２からの放熱経路が多岐にわたっており、熱抵抗を低減することに寄与している。
【００５４】
（他の実施形態）
この明細書の開示は、例示された実施形態に制限されない。開示は、例示された実施形態と、それらに基づく当業者による変形態様を包含する。例えば、開示は、実施形態において示された部品、要素の組み合わせに限定されず、種々変形して実施することが可能である。開示は、多様な組み合わせによって実施可能である。開示は、実施形態に追加可能な追加的な部分をもつことができる。開示は、実施形態の部品、要素が省略されたものを包含する。開示は、一つの実施形態と他の実施形態との間における部品、要素の置き換え、または組み合わせを包含する。開示される技術的範囲は、実施形態の記載に限定されない。開示される技術的範囲は、特許請求の範囲の記載によって示され、さらに特許請求の範囲の記載と均等の意味および範囲内でのすべての変更を含むものと解されるべきである。
【００５５】
前述の実施形態における電池積層体は、電池セル２とスペーサ部材５とを交互に積層した電池の集合体であるが、電池積層体は、この形態に限定されない。明細書に開示の目的を達成可能な電池装置は、前述の実施形態で記載したスペーサ部材５を隣り合う電池セル２間に有することを必要としない。
【符号の説明】
【００５６】
１…電池装置、  ２…電池セル、  ３…第１規制部材（規制部材）
４，１０４…第２規制部材（規制部材）、  ７，１０７…拘束バンド（拘束部材）
９…熱伝導性部材、  １０，１１０…放熱用部材、  ２１…下面
２２…側面、  ３０…第１対向部（対向部）、  ３１…第１保持部（保持部）
３２…細隙、  ４０…第２対向部（対向部）、  ４１…第２保持部（保持部）
４２…細孔
【図１】
2019160496.tif 000003
【図２】
2019160496.tif 000004
【図３】
2019160496.tif 000005
【図４】
2019160496.tif 000006
【図５】
2019160496.tif 000007
【図６】
2019160496.tif 000008
【図７】
2019160496.tif 000009
【図８】
2019160496.tif 000010
【図９】
2019160496.tif 000011